(57)【要約】【課題】簡単な組立てが簡単になるように、通電レールアダプタを改良する。【解決手段】電灯を通電レール（１１）と少なくとも間接に接続する装置（１０）は、周囲角範囲にわたって回動可能な少なくとも１つの開閉軸（２１，２２）を収容するケース（３８）を持ち、このケースが少なくとも２つの絶縁物特にプラスチック製ケース殻部分（３４ａ，３４ｂ）から構成されている。本発明により、少なくとも第１のケース殻部分（３４ｂ）に係止部材（３６ａ，３６ｂ，３６ｃ，３６ｄ，３６ｅ，３６ｆ，３６ｇ）が設けられて、開閉軸（２１，２２）及び／又は第２のハウジング殻部分（３４ａ）と協働する。【選択図】図８
2008226848.tif 000002
【特許請求の範囲】
【請求項１】
電灯を通電レール（１１）と少なくとも間接に接続する装置（１０）であって、周囲角範囲にわたって回動可能な少なくとも１つの開閉軸（２１，２２）を収容するケース（３８）を持ち、このケースが少なくとも２つの絶縁物製ケース殻部分（３４ａ，３４ｂ）から構成されているものにおいて、少なくとも第１のケース殻部分（３４ｂ）に係止部材（３６ａ，３６ｂ，３６ｃ，３６ｄ，３６ｅ，３６ｆ，３６ｇ）が設けられて、開閉軸（２１，２２）及び／又は第２のハウジング殻部分（３４ａ）と協働することを特徴とする、装置。
【請求項２】
第１種類の係止部材（３６ｄ，３６ｅ，３６ｆ，３６ｇ）が設けられて、開閉軸（２１，２２）と協働することを特徴とする、請求項１に記載の装置。
【請求項３】
第１種類の係止部材（３６ｄ，３６ｅ，３６ｆ，３６ｇ）が開閉軸（２１，２）を少なくとも部分的につかんでいることを特徴とする、請求項２に記載の装置。
【請求項４】
第１種類の少なくとも１対の係止部材（３６ｆ，３６ｇ；３６ｄ，３６ｅ）が設けられて、開閉軸（２２）をはさみ付けていることを特徴とする、請求項２又は３に記載の装置。
【請求項５】
第１種類の少なくとも１つの係止部材（３６ｄ，３６ｅ，３６ｆ，３６ｇ）が開閉軸（２１，２２）用の係止位置を提供し、この係止位置で開閉軸がケース殻部分に固定されていることを特徴とする、請求項２〜４の１つに記載の装置。
【請求項６】
開閉軸（２１，２２）がその係止位置（図３）で回動可能であることを特徴とする、請求項５に記載の装置。
【請求項７】
第２種類の係止部材（３６ａ，３６ｂ，３６ｃ）が設けられて、第２のケース殻部分（３４ａ）と協働することを特徴とする、請求項１〜６の１つに記載の装置。
【請求項８】
第２種類の複数の係止部材（３４ａ，３６ｂ，３６ｃ）が設けられて、実質的の第１のケース殻部分（３４ｂ）の縁の範囲（５３）に配置されていることを特徴とする、請求項７に記載の装置。
【請求項９】
第２種類のケース殻部分（３４ａ）に保持面（５０）が設けられて、第２種類の係止部材（３６ａ，３６ｂ，３６ｃ）と協働することを特徴とする、請求項８又は９に記載の装置。
【請求項１０】
保持面（５０）がケース殻部分（３４ａ）の壁にある切欠き（５１）の範囲に設けられていることを特徴とする、請求項９に記載の装置。
【請求項１１】
係止部材（３６ａ，３６ｂ，３６ｃ，３６ｄ，３６ｅ，３６ｆ，３６ｇ）が、ケース殻部分（３４ｂ）に物質的に一体に形成されていることを特徴とする、請求項１〜１０の１つに記載の装置。
【請求項１２】
係止部材（３６ａ，３６ｂ，３６ｃ，３６ｄ，３６ｅ，３６ｆ，３６ｇ）が可撓的に構成されていることを特徴とする、請求項１〜１１の１つに記載の装置。
【請求項１３】
係止部材（３６ａ，３６ｂ，３６ｃ，３６ｄ，３６ｅ，３６ｆ，３６ｇ）がばね舌片として構成されていることを特徴とする、請求項１〜１２の１つに記載の装置。
【請求項１４】
ケース（３５）が実質的に２つのケース半体（３４ａ，３４ｂ）から成り、これらのケース半体が膜蝶番（４４）を介して互いに結合されていることを特徴とする、請求項１〜１３の１つに記載の装置。
【発明の詳細な説明】
【技術分野】
【０００１】
本発明は、請求項１の上位概念に記載の電灯を通電レールと少なくとも間接に接続する装置に関する。
【０００２】
電灯を通電レールと少なくとも間接に接続する装置は、一般に通電レールアダプタと称される。通電レールには、複数の電灯を軸線方向に移動可能に簡単に取付けることができる。
【背景技術】
【０００３】
出願人に由来する従来技術の通電レールアダプタは、ドイツ連邦共和国特許出願公開第２８１０６８１号明細書に記載されている。これから公知のアダプタは３５年前から殆ど変わりなく出願人により製造され、広く普及されている。
【０００４】
公知の通電レールアダプタは多数の個別部分から成り、費用のかかる組立てを必要とする。ケースは、従来のねじによりまとめられる３つのケース殻部分から成っている。ケースの内部には第１及び第２の開閉軸がある。第１の開閉軸は９０°の角度だけ回動可能であり、１対の保持舌片及び中性導体接触子舌片を持っている。第２の開閉軸は１８０°回動可能であり、特に１つの相導体接触子舌片を持っている。両方の開閉軸の間には、交互制御の形で誤動作が起こらないようにする阻止部材が設けられている。
【０００５】
【特許文献１】ドイツ連邦共和国特許出願公開第２８１０６８１号明細書
【発明の開示】
【発明が解決しようとする課題】
【０００６】
本発明の課題は、簡単な組立てが簡単になるように、ドイツ連邦共和国特許出願公開第２８１０６８１号明細書から公知でありかつ請求項１の上位概念に記載の通電レールアダプタを改良することである。
【課題を解決するための手段】
【０００７】
本発明は、この課題を少なくとも第１のケース殻部分に係止部材が設けられて、開閉軸及び／又は第２のハウジング殻部分と協働することによって解決する。
【０００８】
従って本発明の原理は、大体において、例えばクリップ要素のように構成可能で保持機能を及ぼす係止部材を設けることである。
【０００９】
例えば第１種類の係止部材を設け、この係止部材が他方のケース殻部分にある適当な保持面と協働するようにすることができる。こうして従来技術では３つ設けられていたねじをなくすことができる。今まで苦労したねじの取付けも本発明により不要になる。ケース殻部分特に２つのケース半体の簡単なクリップ止めにより、ケースを極めて簡単に構成することができる。
【００１０】
こうして少なくとも部分的に自動化される組立ても特に可能になる。なぜならば、係止部材をスナップ結合要素のように構成し、一方のケース殻部分の自動的な移動の際これらのスナップ結合要素が他方のスナップ結合要素に対して自動的にスナップばめ可能だからである。
【００１１】
本発明の別の局面によれば、係止部材が開閉軸と協働するように考慮することもできる。外部構造と内部の部分及びその機能に関してドイツ連邦共和国特許出願公開第２８１０６８１ごう明細書から公知の通電レールアダプタにほぼ完全に一致する通電レールアダプタは、ケース内に回動可能に支持される第２の開閉軸を持っている。
【００１２】
公知の通電レールアダプタでは、第１及び第２の開閉軸が、その組立てのため、ゆるく順次に第１のケース殻部分へ挿入される。続いて別の要素、特に阻止部材がケース内部空間へ入れられる。最後に電灯との電気的接続に用いられる接続導体が対応する接続端子に取付けられる。両方の開閉軸はゆるく挿入されているだけなので、このような取付けは一部苦労して行われた。
【００１３】
本発明によれば、少なくとも１つの係止部材を設けることによって、第１及び／又は第２の開閉軸のために、精確に規定される係止座を提供することが可能である。精確に規定される係止位置は、クリップ留めの際しかも規則通りの係止位置に達した時に生じる騒音により、利用者に示すことができる。
【００１４】
係止位置にある開閉軸はなるべく回動可能なので、係止部材は開閉軸の開閉機能を全く妨げない。
【００１５】
他方係止位置は、場合によっては、開閉軸が意に反してケース殻部分から外れる危険を生じることなく、ハウジングから部分をその中にある開閉軸と共に自動的に運搬することを可能にする。従って取扱い著しく簡単化され、それにより全体として組立てが簡単になる。
【００１６】
開閉軸用係止座は開閉軸用軸線方向固定部となるべく協働するので、電灯用接続導体は、接続導体の自由端の軸線方向運動による差込み接続を行うことによって、開閉軸にある適当な接続接触子と容易に接続可能である。
【００１７】
本発明による有利な構成によれば、第１種類の係止部材が設けられて、開閉軸と協働し、第２種類の係止部材が設けられて、第２のケース殻部分と協働する。本発明のこの構成では、組立てが更に容易になる。
【００１８】
本発明の有利な構成によれば、係止部材が、ケース殻部分に物質的に一体に形成されている。特にプラスチック射出成形部分として構成される殻部分では、係止部材を一緒に射出成形できるので、係止部材の製造費が最小になる。
【００１９】
本発明の有利な構成によれば、係止部材が可撓的に構成されている。これは特に簡単な構造を可能にし、付加的な個別部分をなくすことができる。
【００２０】
本発明の別の有利な構成によれば、係止部材がばね舌片として構成されている。これは更に簡単化される構造を可能にし、その際ばね舌片がケース殻部分の底壁から自由に突出するようにすることができる。ばね舌片の軸線方向長さにより、係止部材の所望の弾性を容易に設定することができる。
【００２１】
本発明の別の有利な構成によれば、ケースが実質的に２つのケース半体から成り、これらのケース半体が膜蝶番を介して互いに結合されている。これは更に簡単な構造及び取扱いを可能にする。なぜならば、１片から成るケースは、両方のケース半体の相対揺動により閉じた状態へ機械的に移行することができるからである。この場合第１のケース半体にある複数の係止部材が、第２のケース半体にある適当な保持面と協働することができる。
【００２２】
本発明の別の有利な構成によれば、保持面がケース殻部分の壁にある切欠きの範囲に設けられている。これは保持面及び係止部材の材料を節約する効果的な取付けを可能にする。更にこうしてケースの構成された状態においても、外から係止部材に近づくことができ、例えばケースを開くため釈放工具を係止部材に係合させることができる。
【００２３】
本発明の別の有利な構成によれば、第１種類の係止部材が開閉軸を特に開閉軸の外周面を少なくとも部分的につかんでいる。本発明のこの構成により、ハウジングから部分への開閉軸の特に簡単な固定が保証される。
【００２４】
本発明の別の有利な構成によれば、第１種類の少なくとも１対の係止部材が設けられて、開閉軸をはさみ付けている。この場合最適な分布が特に簡単に行われる。
【００２５】
本発明のそれ以外の利点は、引用しない従属請求項及び図に示されている実施例の以下の説明から明らかになる。
【発明を実施するための最良の形態】
【００２６】
図面の以下の説明において、同じ又は対比可能な部分又は要素は、わかり易くするため、一部小文字を付けて同じ符号で示すことを指摘しておく。
【００２７】
図において全体を１０で示す装置は、図示しない電灯を図１に符号で示す通電レールに接続するために用いられる。このような通電レールは、建物側特に天井側に取付けられ、装置１０の導入部分１２（図２）を受入れるのに用いられる。装置１０は、その外側寸法において、その構造的な内部構造から、少なくともその機能に関して、ドイツ連邦共和国特許出願公開第２８１０６８１号明細書に記載されかつそこで通電レールアダプタと称されている出願人の装置に大幅に一致している。
【００２８】
起こり得る反覆のおそれがあるけれども、装置１０の動作原理を以下に簡単に説明する。
【００２９】
通電レール１１は、装置１０の導入部分１２を受入れるのに役立つ導入開口１３を持っている。装置１０の当たり面１４が通電レール１１の下側へ当たるか又は少なくともその範囲へ達するまで、装置１０が導入開口１３へ押込まれる。誤動作を回避するため、導体レール１１に符号化溝１６が設けられ、当たり面１４の範囲で装置１０に取付けられている符号化要素１７が、符号化溝１６へ進入することができる。
【００３０】
通電レール１１は、保持溝（例えば１８ａ，１８ｆ）として又接触子溝として構成されている多数の溝１８ａ，１８ｂ，１８ｃ，１８ｄ，１８ｅ，１８ｆを、持っている。溝１８ｂ，１８ｃ，１８ｄ，１８ｅ内に導体レールが設けられている。導体レール１９は中性導体レールとして構成され、他の３つの導体レールは、従来技術において普通であるように、相導体レール２０ａ，２０ｂ，２０ｃである。
【００３１】
装置１０は、図には示されていない電灯を通電レール１１に電気的に接触させかつ通常は機械的に取付けるのにも役立つ。電灯の機械的取付けのため、例えば装置１０の取付け範囲において、例えば電灯の図示しない取付け要素のねじ止め又は締付けによって、ねじ結合が行われる。装置１０の取付け範囲３７に、保持体のような別個の取付け装置を設けることも公知である。
【００３２】
電灯を導体レール１９，２０ａ，２０ｂ，２０ｃと電気的接触させるため、電灯側の図示しない接続導体が、装置１０の取付け範囲３７を通って装置１０のケース３８の内部へ導入される。ケース３８の内部空間には、第１の開閉軸２１（図３）及び第２の開閉軸２２が設けられている。両方の開閉軸２１，２２の各々は、それぞれ固有の回動軸線２３の周りに回動可能である。第１の開閉軸２１は約９０°だけ回動可能であり、このためケース３８の外側寸法から突出する操作レバー２４を持ち、この操作レバーが手動操作可能である。実質的に１８０°の周囲角範囲にわたって回動可能な第２の開閉軸２２を回動させるため、図３においてその下端に、外歯のようなつかみ突片２５が設けられて、容易な手動操作を可能にする。
【００３３】
阻止部材３９が、図３において両方の開閉軸２１，２２のほぼ中間にあり、交互の制御を行う。
【００３４】
図１０〜１３により、両方の開閉軸２１，２２の基本構造をまず簡単に説明する。
【００３５】
第１の開閉軸２１は、その回転軸線２３に関して半径方向外方へ突出する中性導体接触子舌片２６を持っている。更に機械低保持に用いられる２つの保持舌片２７ａ，２７ｂが設けられている。
【００３６】
第１の開閉軸２１は、頭部分２９，中間部分３０及び足部分３１を持っている。頭部分２９及び中間部分３０はほぼ同じ外径を持ち、これに対し足部分３０は著しく大きい。開閉軸２１は全体を中空体として構成され、中心切欠き４０ａ，４０ｂを持っている。
【００３７】
中性導体接触子舌片２６は、例えば打抜き部品として銅板から折曲げにより形成される接触子担体３２の構成部分である。接触子担体３２は、図１１においてその下端に差込み舌片３３を持ち、この差込み舌片が、電灯側の図示しない接続導体の扁平差込みスリーブとの接続に役立つ。
【００３８】
図１２及び１３による第２の開閉軸２２は、開閉軸２１と同じように回動軸線２３から半径方向外方へ突出する相導体接触子舌片２８を持っている。相導体接触子舌片２８も、同様に銅板打抜き部品として構成可能な接触子担体３２の構成部分である。第２の開閉軸２２の接触担体３２は、室状空間４１内にあり、接触子担体３２を固定する取付け部分４２を持っている。差込み舌片３３は図１３において上方へ向き、かつ回動軸線２３にほぼ沿って延びている。差込み舌片３３は、図示しない接続導体の扁平差込みスリーブとの電気的接続に用いられる。
【００３９】
第２の開閉軸２２は頭部分２９と中間部分３０とに区分され、これらの部分は足部分３１に対して著しく小さい外形を持っている。
【００４０】
第１の開閉軸２１は、開閉軸２２と同様に、導入開口１３への導入部分１２の導入前に、不使用位置にある。第１の開閉軸２１の保持舌片２７ａ，２７ｂ及び中性導体接触子舌片２６と、第２の開閉軸２２の接触子舌片２７及び相導体接触子舌片２８も、この位置でケース３８内に設けられている。
【００４１】
導入開口１３への装置１０の差込み後、レバー２４の操作により第１の開閉軸２１がその縦軸線２３の周りに約９０°だけ回動可能であり、その際保持舌片２７ａ，２７ｂ及び中性導体接触子舌片２６が、そのために設けられたスリット４３ａ，４３ｂ，４３ｃを通って、ケース３８から出ることができる。保持舌片２７ａ，２７ｂは対応する保持溝１８ａ，１８ｆへ進入し、これに反し中性導体接触子舌片２６は、中性導体レール１９に接触するために設けられた中性導体接触子溝１８ｅへ入り込む。それにより第１の開閉軸２１は使用位置へ達する。
【００４２】
図３において両方向矢印ｙに沿って軸線方向に移動可能な阻止部材３９は、第１の開閉軸２１にある図示しない外周溝のため、第２の開閉軸２２がその不使用位置から出るように回動するのを可能にする位置へ、今や移動することができる。これに対して注釈を加えるべきことは、第１の開閉軸２１が不使用位置にあると、第２の開閉軸２２がその不動作位置から出るように回動することが不可能なことである。なぜならば、阻止部材３９がこの運動を阻止するからである。阻止部材は、例えばドイツ連邦共和国特許出願公開第２８１０６８１号明細書に記載されているように構成することができる。
【００４３】
第２の開閉軸２２がその不使用位置から使用位置へ回されると、３つの異なる使用位置を得ることができる。図３による第２の開閉軸２２の不使用位置から出発して、９０°の回動が反時計方向に行われるか又は時計方向に行われるかに応じて、第１又は第２の使用位置が得られ、この位置において相導体接触子舌片２８が、上部ケーススリット４３ｄから出るか、又は下部ケーススリット４３ｅから出る。それに応じて第２の開閉軸２２の保持舌片２７は、それぞれ別のケーススリット４３ｅ，４３ｄを通って出る。
【００４４】
その代わりに、図３において下方へ第２の開閉軸２２の軸線方向移動を行うことができるので、引続く９０°の回動を仮定して、相導体接触子舌片２８がケーススリット４３ｆを通って出ることができる。この場合保持舌片２７は、ケーススリット４３ｇを通って出る。
【００４５】
本発明を更に説明するために出願人の同日付け出願が参照され、この出願の内容は本願の内容に完全に含まれる。
【００４６】
ケース３８は、特に図５から明らかになるように、半殻として構成される２つのケース半体３４ａ，３４ｂから成っている。両方のケース半体３４ａ，３４ｂは膜蝶番４４を介して互いに結合され、従って単一の構造部分を構成している。
【００４７】
図５において右のケース半体４３ａを、膜蝶番４４により規定される揺動軸線４５の周りに、図５の紙面を見る者へまず向かって揺動し、続いて図５において左のケース半体３４ｂへ向かって揺動することによって、ケース３８が図２に示す組立て状態へ移行することができる。
【００４８】
例えば図４及び５からわかるように、両方のケース半体３４ａ，３４ｂは底壁３５を持ち、この底壁から多数の要素が突出している。例えば側壁部分４６ａ，４６ｂ，４６ｃが設けられて、第１の開閉軸２１用の回動軸受を形成している。同様に壁部分４６ｄ，４６ｅ，４６ｆが設けられて、第２の開閉軸２２用の回動軸受を形成している。
【００４９】
この装置１０の特徴は、多数の係止部材３６ａ，３６ｂ，３６ｃ，３６ｄ，３６ｅ，３６ｆ，３６ｇ，３６ｈが設けられていることである。各係止部材３６ａ，３６ｂ，３６ｃ，３６ｄ，３６ｅ，３６ｆ，３６ｇ，３６ｈは、ばね舌片要素として構成されている。
【００５０】
図８により、例として係止部材３６ｃを説明する。この係止部材３６ｃは、取付け範囲４７を介してケース半体３４ｈの底壁３５に一体に結合されている。軸線方向に長く延びる部分４８は、かぎ面５０を持つかぎ状端部４９に終っている。
【００５１】
部分４８の比較的長く延びかつ薄く保たれる構成のため、端部４９は、紙面に対して直角に立ち、かつほぼ取付け範囲４７を通って延びる揺動軸線の周りに僅か偏向可能である。
【００５２】
図８において右のケース半体３４ａには切欠き５１が設けられて、保持面５２を提供する。両方のケース半体３４ａ，３４ｂが揺動軸線４５の周りに互いに近づくように揺動されると、制御面５４を持つかぎ端部４９が切欠き５１を通り、それからはね戻り後保持面５０が保持面５２上へ載り、両方のケース反対３４ａ，３４ｂが永続的に互いに固定される。
【００５３】
これを必要とすることなしに、保持面５０及び保持面５２の適当な構成又は傾斜により、大きい揺動力を加える際係止部材３６ｃの釈放が行われて、ケース３８が開かれるようにすることが望ましいことがある。
【００５４】
両方のケース半体３４ａ，３４ｂを互いに取付けるために、係止部材３６ｃのほかに、同様にケース３８の縁範囲５３に係止部材３６ｂ及び係止部材３６ａが設けられ、係止部材３６ａは膜蝶番に近い方の縁範囲５３に配置されている。従ってほぼ同じに構成される３つの係止部材３６ａ，３６ｂ，３６ｃが、両方のケース半体３４ａ，３４ｂを互いに鎖錠するために設けられている。同様に係止部材３６ａ及び３６ｂのために５１で示す適当な切欠きも設けられている。
【００５５】
係止部材３６ａ，３６ｂ，３６ｃは、第２の種類の係止部材と称される。更に装置１０に、第１の種類の係止部材３６ｄ，３６ｅ，３６ｆ，３６ｇと第３の種類の係止部材３６ｈが設けられている。第３の種類の係止部材３６ｈは第２の種類の係止部材３６ａ，３６ｂ，３６ｃと同じように構成され、阻止部材３９の取付けに用いられる。この阻止部材はこれ以上説明しない。
【００５６】
第１の種類の係止部材は開閉軸２１，２２の取付けに用いられる。
【００５７】
第２の開閉軸２２を取付けるため、第２の開閉軸２２の中間部分３０の外周面に係合する１対の互いに対向する係止部材３６ｆ及び３６ｇが設けられている。係止部材３６ｆ，３６ｇは、図７から部分的にわかるように、ほぼ締め金状に構成され、第２の開閉軸２２が図３の係止位置にある場合にこの開閉軸の中間部分３０をはさみ付ける。
【００５８】
第１の開閉軸２１をケース３８に固定するため、係止部材３６ｄと図３において軸線方向下方にずれて第２の係止部材３６ｅが設けられている。両方の係止部材３６ｄ及び３６ｅは、第１の開閉軸２１をその外周面で同様に締め金状に包囲しているが、軸線方向にずれて包囲している。即ち係止部材３６ｄは第１の開閉軸２１の頭部分２９を包囲し、係止部材３６ｅは中間部分３０を包囲している。
【００５９】
第１の開閉軸２１又は第２の開閉軸２２が取出し位置から図３の係止位置へ動かされると、係止部材３６ｄ，３６ｅ，３６ｆ，３６ｇが短時間外方へ曲がる。なぜならば、それらの最小間隔ｍ1又はｍ2は、対応する開閉軸２１，２２の対応する部分２９，３０の外径により小さいからである。開閉軸２１，２２がその係止位置に達すると、ケース３８に固定される。ケース３８は今や例えば運搬することができ、その際開閉軸２１，２２がケース３８から外れることなく、運動即ち振動運動又は揺動運動を受けることができる。
【００６０】
こうして例えば自動化される組立ての範囲内で、自動運搬を行うことができる。
【００６１】
装置の組立て中における取扱いは著しく簡単化され、自動的な、少なくとも一部自動的な組立てが可能になる。最後に、電灯の図示しない接続導体による差込み舌片３３の接触は、組立ての際特別な役割を果たす。なぜならば、ケース３８に固定される開閉軸２１，２２は自動装置により直ちに接触可能だからである。
【００６２】
第１の種類の係止部材は、開閉軸２１，２２のための確実な係止が達成されるように、構成されている。係止の達成は、例えばクリップばめによる騒音によって利用者に通報することができる。
【００６３】
しかし第１の種類の係止部材は、これらが第１及び第２の開閉軸２１，２２の回動運動を妨げないようにも構成されている。これらの係止部材は、それどころかそれぞれの開閉軸２１，２２の回動軸受を構成する。
【図面の簡単な説明】
【００６４】
【図１】従来技術による通電レールの概略断面を示す。
【図２】本発明による装置の実施例を組立てられた状態で示す。
【図３】図２の本発明による装置の内部空間を一部切断して示し、両方のケース半体が開かれている。
【図４】図３に従って組立てられていない状態にある装置を両方の開閉軸を除いて斜視図で示す。
【図５】図４による装置を拡大した正面図で示す。
【図６】図５による装置を背面図で示す。
【図７】装置を図５の矢印ＶＩＩの方向に見た図で示す。
【図８】装置を図５の切断線ＶＩＩＩ−ＶＩＩＩによる断面図で示す。
【図９】装置を図５の矢印ＩＶの方向に見た図で示す。
【図１０】図３の第１の開閉軸を拡大して示す。
【図１１】第１の開閉軸を図１０の切断線ＸＩ−ＸＩによる断面図で示す。
【図１２】図３の第２の開閉軸を拡大して示す。
【図１３】第２の開閉軸を図１２の切断線ＸＩＩ−ＸＩＩによる断面図で示す。
【符号の説明】
【００６５】
１０    電灯を通電レールに接続する装置
１１    通電レール
２１，２２    開閉軸
３４ａ，３４ｂ    ケース殻部分
３６ａ〜３４ｇ    係止部材
【図１】
2008226848.tif 000003
【図２】
2008226848.tif 000004
【図３】
2008226848.tif 000005
【図４】
2008226848.tif 000006
【図５】
2008226848.tif 000007
【図６】
2008226848.tif 000008
【図７】
2008226848.tif 000009
【図８】
2008226848.tif 000010
【図９】
2008226848.tif 000011
【図１０】
2008226848.tif 000012
【図１１】
2008226848.tif 000013
【図１２】
2008226848.tif 000014
【図１３】
2008226848.tif 000015
【手続補正書】
【提出日】平成20年5月1日(2008.5.1)
【手続補正１】
【補正対象書類名】特許請求の範囲
【補正対象項目名】全文
【補正方法】変更
【補正の内容】
【特許請求の範囲】
【請求項１】
通電レール（１１）に受入れ可能な通電レールアダプタであって、該通電レール（１１）が導体レール（１９、２０ａ〜２０ｃ）を保持する溝（１８ａ〜１８ｆ）を有する、通電レールアダプタにおいて、前記アダプタが、
第１の絶縁物製ケース殻部分（３４ｂ）と、
回動軸受を形成する前記第１のケース殻部分の側壁部分（４６ａ〜４６ｆ）と、
該回動軸受に回動自在に係合し、かつ、軸保持面（２９、３０）を有する１つの開閉軸（２１、又は２２）と、
前記第１のケース殻部分（３４ｂ）に、可撓的に構成された形成部材（３６ｄ、３６ｅ；  ３６ｆ、３６ｇ）を有していて、該形成部材は前記軸保持面と係合し、前記回動軸受に前記開閉軸を解放自在に保持する手段と、
前記第１のケース殻部分（３４ｂ）と係合する第２の絶縁物製ケース殻部分（３４ａ）と、
前記第１と第２のケース殻部分との間に前記開閉軸を収容した状態で、互いに両者の殻部分を係止する手段（３６ａ、３６ｂ、３６ｃ）と
を具備する通電レールアダプタ。
【請求項２】
前記開閉軸が、前記回動軸受内で自由に回転することができる請求項１に記載の通電レールアダプタ。
【請求項３】
前記第１と第２のケース殻部分との間に、膜蝶番（４４）を具備する請求項１に記載の通電レールアダプタ。
【請求項４】
前記膜蝶番（４４）が、前記第１と第２のケース殻部分と一体に形成された膜状殻部分である請求項３に記載の通電レールアダプタ。
【請求項５】
前記第２のケース殻部分（３４ａ）は、保持面（５２）を有し、前記アダプタがさらに、前記第２のケース殻部分（３４ａ）の前記保持面（５２）に係止する前記第１のケース殻部分（３４ｂ）の保持形成部材（３６ａ〜３６ｃ、４９、５０）を具備する請求項１に記載の通電レールアダプタ。
【請求項６】
前記第１のケース殻部分（３４ｂ）の前記保持部材は、かぎ状端部（４９）を有するばね舌片であり、前記第２のケース殻部分（３４ａ）は、前記保持面（５２）に隣接した、通り抜け切欠き（５１）が形成されており、前記第１と第２のケース殻部分は、前記かぎ状端部（４９）により係合可能であって、前記かぎ状端部は、前記切欠き（５１）を通過して前記第２のケース殻部分の前記保持面にロックする請求項５に記載の通電レールアダプタ。
【請求項７】
前記第１のケース殻部分（３４ｂ）の前記保持部材は、前記第１のケース殻部分と一体形成されている請求項５に記載の通電レールアダプタ。
【請求項８】
前記第１のケース殻部分（３４ｂ）の前記保持部材は、可撓的に構成されている請求項７に記載の通電レールアダプタ。
【請求項９】
通電レール（１１）に受入れ可能なようになされたアダプタであって、該通電レール（１１）が導体レール（１９、２０ａ〜２０ｃ）を保持する溝（１８ａ〜１８ｆ）を有する、アダプタにおいて、該アダプタが、
第１の絶縁物製ケース半体殻部分（３４ｂ）と、
前記第１のケース半体殻部分（３４ｂ）と係合し、保持面（５２）を有する第２の絶縁物製ケース半体殻部分（３４ａ）と、
前記第１、第２のケース半体殻部分上の回動軸受形成部材（４６ａ〜４６ｆ）と、
前記第１、第２のケース半体殻部分間で、前記回動軸受に係合する１つの開閉軸（２１、又は２２）と、
前記第１のケース半体殻部分（３４ｂ）に一体に形成された保持部材（３６ａ〜３６ｃ、４９、５０）であって、前記第２のケース半体殻部分（３４ａ）の前記保持面（５２）に係合する保持部材と
を具備するアダプタ。
【請求項１０】
前記回動軸受形成部材は、前記第１、第２のケース半体殻部分に一体形成された側壁部分（４６ａ〜４６ｆ）であって、軸受を形成するほぼ半円形の座面を形成する請求項９に記載のアダプタ。
【請求項１１】
通電レール（１１）に受入れ可能なようになされたアダプタにおいて、該アダプタが、
第１の絶縁物製ケース殻部分（３４ｂ）と、
前記第１のケース殻部分（３４ｂ）と係合し、保持面（５２）に隣接して通り抜け切欠き（５１）が形成された第２の絶縁物製ケース殻部分（３４ａ）と、
前記第１、第２のケース殻部分間で回動軸受に係合し、かつ、軸保持面（２９、３０）を有する１つの開閉軸（２１、又は２２）と、
前記第１のケース殻部分（３４ｂ）に一体に形成された保持部材（３６ａ〜３６ｃ、４９、５０）であって、前記切欠き（５１）を通じて前記第２のケース殻部分（３４ａ）の前記保持面（５２）に係合する保持部材と、
を具備するアダプタ。
【請求項１２】
通電レール（１１）に受入れ可能なようになされたアダプタにおいて、該アダプタが、
第１の絶縁物製ケース殻部分（３４ｂ）と、
前記第１のケース殻部分（３４ｂ）と係合し、保持面（５２）が形成された第２の絶縁物製ケース殻部分（３４ａ）と、
前記第１、第２のケース殻部分と一体形成され、前記第１、第２のケース殻部分を枢着相互結合する膜蝶番（４４）と
前記第１、第２のケース殻部分間で係合する１つの開閉軸（２１、又は２２）と、
前記第１のケース殻部分（３４ｂ）に一体に形成された保持部材（３６ａ〜３６ｃ、４９、５０）であって、前記第２のケース殻部分（３４ａ）の前記保持面（５２）に係合する保持部材と
を具備するアダプタ。
【請求項１３】
前記保持部材（３６ａ〜３６ｃ、４９、５０）は、前記第１のケース殻部分と一体形成された請求項１２に記載のアダプタ。
【請求項１４】
前記保持部材（３６ａ〜３６ｃ、４９、５０）は、前記膜蝶番（４４）に隣接している請求項１２に記載のアダプタ。